(57)【要約】【課題】横引きのロールスクリーン装置において、巻取軸を施工後のメンテナンスのために巻取りボックスから容易に離脱可能にする。【解決手段】巻取軸７に内蔵したコイルスプリング８によりスクリーン６を巻取る横引きロールスクリーン装置において、巻取軸から導出されるスクリーンの上下端に沿って多数の係合子６ａ，６ｂを取り付け、スクリーン枠１の上枠４内のインナーレールと、スクリーン枠の下レール５の上面の中空ガイド部３０のスリットでそれらをガイドさせ、下レールには、可動框９の下端部が中空ガイド部を跨いで走行する走行面３０ｂを形成する。巻取りボックス２内の巻取軸の下端を、該巻取軸に巻き取っているスクリーンの下端の係合子６ｂが下レールの中空ガイド部３０に導出入できる程度に下位に位置させ、巻取軸の長さを巻取りボックス２に出し入れできる程度に短縮可能に形成する。【選択図】図１
2019065647.tif 000002
【特許請求の範囲】
【請求項１】
巻取りボックス内の上下部のブラケット間に巻取軸の上下端を着脱可能に支持させ、該巻取軸に内蔵したコイルスプリングの回転付勢力により、該巻取軸に一端を保持させたスクリーンを巻取り可能とした横引きロールスクリーン装置において、
上記巻取りボックス内の巻取軸から導出されるスクリーンの上下端に沿って多数の係合子を取り付け、上記スクリーンの導出端に取り付けた可動框の上端をガイドするスクリーン枠の上枠内に、上記スクリーンの上端の係合子を係合させてガイドするスリットを備えたインナーレールを収容すると共に、スクリーン枠の下レールを、上面にスリットを備えた中空ガイド部の両側に、上記可動框の下端部が該中空ガイド部を跨いで走行する走行面を形成して、上記スクリーンの下端の係合子を該中空ガイド部のスリットに係合させてガイドし、
巻取りボックス内における上記巻取軸の下端を、該巻取軸に巻き取っているスクリーンの下端の係合子が上記下レールの中空ガイド部に対向して導出入できる程度に下位に位置させると共に、上記巻取軸の長さを巻取りボックスに出し入れできる程度に短縮可能に形成している、
ことを特徴とする横引きロールスクリーン装置。
【請求項２】
上記巻取りボックスに支持させる巻取軸の下端が、該巻取軸の下キャップを、該巻取りボックスの下部のブラケット上に設けた軸支部材に対して回転自在で上方に抜脱可能に嵌合させることにより支持され、
上記巻取軸の上端は、該巻取軸の上キャップの中心孔に対して、回転及び上下摺動を可能にして挿通することにより上方に突出させたところの、巻取軸回転用のコイルスプリングの支持軸を、巻取りボックスの上部のブラケットに着脱可能ではあるが回転不能に保持させ得るものとして支持させ、
上記支持軸の上端に固定的に取り付けた軸支持キャップと上記巻取軸の上キャップとの間に、該支持軸に対する側方からの嵌着により弾性的に係着可能にした着脱自在のスペーサを介在させ、該スペーサを上記支持軸から離脱させて上記支持軸を巻取軸内へ挿入することにより、該巻取軸の上下端間を短縮させたときに、該巻取軸が巻取りボックスから取り出し可能な長さをもつように形成している、
ことを特徴とする請求項１に記載の横引きロールスクリーン装置。
【請求項３】
上記巻取軸内の下部と上記コイルスプリングの支持軸との間に、該支持軸に上動の付勢力を作用させるスプリングを配設し、上記軸支持キャップと上記上キャップとの間に上記スペーサを介在させた状態において、該支持軸の上端の角形部を上部の軸支部材に設けた角孔に押入する上記付勢力を作用させるものとしている、
ことを特徴とする請求項２に記載の横引きロールスクリーン装置。
【請求項４】
上記スペーサが、弾性を有する素材により成形され、上記支持軸を挟持する一対の対向する挟持部片を備えていて、それらの一端部を上記支持片に挟持力を付与する弾性連結部において連結し、且つ、上記一対の挟持部片に、上記支持軸の挟持のために開閉する指掛け用の操作部を付設することにより構成している、
ことを特徴とする請求項２又は３に記載の横引きロールスクリーン装置。
【発明の詳細な説明】
【技術分野】
【０００１】
本発明は、巻取軸に巻き取られているロールスクリーンを横引きで開閉するロールスクリーン装置に関するものであり、更に具体的には、該スクリーン装置の施工後においても巻取軸が巻取りボックスに容易に着脱可能であるというメンテナンスの容易性を保ちながら、ロールスクリーン及びそれに連結した可動框の下端をガイドする下レールを薄くしてバリアフリー化をも容易に実現できるようにした横引きのロールスクリーン装置に関するものである。
【背景技術】
【０００２】
特許文献１にも開示されているように、横引きのロールスクリーン装置における巻取りボックスの内部に巻取軸を収容し、該巻取軸に内蔵したコイルスプリングの回転付勢力によって該巻取軸に一端を保持させたスクリーンを巻取り可能としたロールスクリーン装置は、極めて一般的に知られている。このようなロールスクリーン装置では、その施工後の各種メンテナンスにおいてスクリーンを巻付けた巻取軸を巻取りボックスに対して容易に着脱可能にしておくことが求められ、上記特許文献１のスクリーン装置においても、そのような構成を備えている。
【０００３】
しかしながら、横引きのロールスクリーン装置では、スクリーンの上下端に沿って取り付けている係合子をスクリーン枠の上下枠内に設けたインナーレールに係合させてガイドする必要があるため、巻取軸の下端、ないしはそれを越える下方にスクリーンの下端の係合子を位置させる必要があり、そのため、上述のように横引きのロールスクリーン装置の施工後に、スクリーンを巻付けた巻取軸を巻取りボックスに対して容易に着脱可能にしておくには、巻取軸の下端を容易に巻取りボックスの下端部から離脱可能にしておくための巻取軸下端の支持構造に設計上の困難性がある。
【０００４】
即ち、上述のような横引きのロールスクリーン装置においては、その施工後のメンテナンスにおいて、スクリーンを巻付けた巻取軸を巻取りボックスに対して容易に着脱可能にしておくためには、特許文献１からも分かるように、ロールスクリーン及びその可動框の下端をガイドするガイド部材が床面から高くなり勝ちであり、そのため、下レールを薄くしてスクリーン装置の設置部分をバリアフリー化し、通行等の障害になるのを抑制することが要望されているが、上述した巻取軸を容易に着脱可能にしておく構成との関連において、下レールを薄くしたり、可動框の下端をガイドする下枠をなくすことには困難性がある。
【先行技術文献】
【特許文献】
【０００５】
【特許文献１】特開２００８−１７４９３８号公報
【発明の概要】
【発明が解決しようとする課題】
【０００６】
本発明の技術的課題は、巻取りボックス内の巻取軸を施工後のメンテナンスのために、該巻取軸を巻取りボックスに対して容易に着脱可能にし、しかも、その機能を損なうことなく、下レールをバリアフリー化のために薄くすることをも可能にした横引きロールスクリーン装置を提供することにある。
【課題を解決するための手段】
【０００７】
上記課題を解決するため、本発明によれば、巻取りボックス内の上下部のブラケット間に巻取軸の上下端を着脱可能に支持させ、該巻取軸に内蔵したコイルスプリングの回転付勢力により、該巻取軸に一端を保持させたスクリーンを巻取り可能とした横引きロールスクリーン装置において、上記巻取りボックス内の巻取軸から導出されるスクリーンの上下端に沿って多数の係合子を取り付け、上記スクリーンの導出端に取り付けた可動框の上端をガイドするスクリーン枠の上枠内に、上記スクリーンの上端の係合子を係合させてガイドするスリットを備えたインナーレールを収容すると共に、スクリーン枠の下レールを、上面にスリットを備えた中空ガイド部の両側に、上記可動框の下端部が該中空ガイド部を跨いで走行する走行面を形成して、上記スクリーンの下端の係合子を該中空ガイド部のスリットに係合させてガイドし、巻取りボックス内における上記巻取軸の下端を、該巻取軸に巻き取っているスクリーンの下端の係合子が上記下レールの中空ガイド部に対向して導出入できる程度に下位に位置させると共に、上記巻取軸の長さを巻取りボックスに出し入れできる程度に短縮可能に形成していることを特徴とする横引きロールスクリーン装置が提供される。
【０００８】
本発明に係る横引きロールスクリーン装置の好ましい実施形態においては、上記巻取りボックスに支持させる巻取軸の下端が、該巻取軸の下キャップを、該巻取りボックスの下部のブラケット上に設けた軸支部材に対して回転自在で上方に抜脱可能に嵌合させることにより支持され、上記巻取軸の上端は、該巻取軸の上キャップの中心孔に対して、回転及び上下摺動を可能にして挿通することにより上方に突出させたところの、巻取軸回転用のコイルスプリングの支持軸を、巻取りボックスの上部のブラケットに着脱可能ではあるが回転不能に保持させ得るものとして支持させ、上記支持軸の上端に固定的に取り付けた軸支持キャップと上記巻取軸の上キャップとの間に、該支持軸に対する側方からの嵌着により弾性的に係着可能にした着脱自在のスペーサを介在させ、該スペーサを上記支持軸から離脱させて上記支持軸を巻取軸内へ挿入することにより、該巻取軸の上下端間を短縮させたときに、該巻取軸が巻取りボックスから取り出し可能な長さをもつものとして形成される。
【０００９】
本発明に係る横引きロールスクリーン装置の他の好ましい実施形態においては、上記巻取軸内の下部と上記コイルスプリングの支持軸との間に、該支持軸に上動の付勢力を作用させるスプリングを配設し、上記軸支持キャップと上記上キャップとの間に上記スペーサを介在させた状態において、該支持軸の上端の角形部を上部の軸支部材に設けた角孔に押入する上記付勢力を作用させるものとして構成される。
【００１０】
また、本発明に係る横引きロールスクリーン装置の他の好ましい実施形態においては、上記スペーサが、弾性を有する素材により成形され、上記支持軸を挟持する一対の対向する挟持部片を備えていて、それらの一端部を上記支持片に挟持力を付与する弾性連結部において連結し、且つ、上記一対の挟持部片に、上記支持軸の挟持のために開閉する指掛け用の操作部を付設したものとして構成される。
【発明の効果】
【００１１】
以上に詳述した本発明の横引きロールスクリーン装置によれば、巻取りボックス内の巻取軸を施工後のメンテナンスのために、該巻取軸を巻取りボックスに対して容易に着脱可能にし、しかも、その機能を損なうことなく、下レールをバリアフリー化のために薄くすることをも可能にした横引きロールスクリーン装置を得ることができる。
【図面の簡単な説明】
【００１２】
【図１】本発明に係る横引きロールスクリーン装置の実施例を、巻取りボックスから開閉扉を取り外した状態で示す模式的な外観斜視図である。
【図２】上記実施例における巻取りボックスの上部の内部構造を示す要部拡大断面図である。
【図３】上記実施例における巻取軸及び可動框の下部の構成を示す要部拡大断面図である。
【図４】上記可動框及びスクリーンの上部のガイド構成を示す側断面図である。
【図５】上記可動框及びスクリーンの下部のガイド構成を示す側断面図である。
【図６】上記巻取軸の上部キャップにおけるスペーサの着脱態様を示し、（ａ）は該スペーサの取付状態を示す斜視図、（ｂ）は該スペーサを取り外した分離状態を示す斜視図である。
【図７】上記上部キャップにおけるスペーサを取り外した状態で巻取り用コイルスプリングの支持軸を押し下げた状態を示す巻取りボックス上部の要部拡大断面図である。
【図８】巻取りボックスの内部構成の要部を示す正面図である。
【発明を実施するための形態】
【００１３】
図１は、本発明に係る横引きロールスクリーン装置の実施例の全体的な構成を模式的に示している。このロールスクリーン装置は、建物開口部における遮光、断熱、目隠し、防虫、或いは花粉除け等のための網戸に適用可能なもので、概略的には、スクリーン枠１の一方の側枠を構成する巻取りボックス２内に、図２、図３及び図８に示すような巻取軸７を収容し、該巻取軸７に内蔵したコイルスプリング８の回転付勢力によって、該巻取軸７に一端を保持させたスクリーン６を巻取り可能とし、それによって該スクリーン６を横引きで開閉できるようにしたスクリーン装置を、以下に詳述する構成によってバリアフリー化し、しかも巻取りボックス内の巻取軸を施工後のメンテナンスのために巻取りボックスから容易に取り外したものである。
【００１４】
上記横引きロールスクリーン装置についてより具体的に説明すると、建物開口部に設置する該スクリーン装置のスクリーン枠１は、上記一方の側枠を構成する巻取りボックス２と、それに対向する受け枠３と、それらの上端間を連結するように配設された上枠４と、該巻取りボックス２と受け枠３との下端間に配置された下レール５とによって構成されている。上記巻取りボックス２は、その内部に上記スクリーン６を巻回した巻取軸７の上下端を回転可能に支持させ、上記スクリーン６の先端には、該スクリーン６の開閉操作に供する可動框９を取り付け、該可動框９の上下端及びスクリーン６の上下端部をそれぞれ上記上枠４及び下レール５にガイドさせることにより、それらを開閉方向に摺動自在に保持させ、該スクリーン６をスクリーン枠１内において開閉自在としている。なお、上記スクリーン装置のバリアフリー化のため、上枠４に対向配置されて可動框９の下端をガイドする溝状の下枠は備えることなく、上記下レール５によって可動框９の下端をガイドさせている。
【００１５】
図１〜図３に示すように、上記巻取りボックス２は、その上下端にそれぞれ上下部のブラケット１０，２０を固定すると共に、前面に巻取軸７を内部に出し入れすることが可能な開閉扉２ａを開閉自在に取り付けたもので、上記巻取軸７を上下部のブラケット１０，２０の間に回転自在に支持させるため、該巻取軸７はその円筒状をなす筒軸本体７ａの上下端に、それぞれ、上キャップ１１及び下キャップ２１を固定的に取り付けている。そして、巻取軸７の下端は、上記下部のブラケット２０の上面に設けた短円柱状の軸支部材２２に対して、上記下キャップ２１の下面に設けた嵌合孔２１ａを回転自在で抜脱可能に外嵌させることにより、下部のブラケット２０に回転可能に支持させている。
【００１６】
一方、図２及び図６から分かるように、上記巻取軸７の上端においては、該巻取軸７に固定した上キャップ１１の中心孔１１ａ内に回転及び上下の摺動を可能にしたところの、該巻取軸を回転させる前記コイルスプリング８の支持軸１３を挿通し、更に該上キャップ１１上に突出させた該支持軸１３の上端を、上部に円板状部１５ａを有する軸支持キャップ１５の中心の取付孔１５ｂに挿通し、該取付孔１５ｂの上端にワッシャー１６を介在させて、該ワッシャーの上で、該支持軸１３の軸端を押し潰してそこに角形部１３ａを形成することにより、該角形部１３ａを軸支持キャップ１５上に突出させたものとし、支持軸１３の上端に該軸支持キャップ１５を固定している。
【００１７】
上記巻取りボックス２内における巻取軸７の上端の支持は、図２及び図７から分かるように、該巻取りボックス２の上部のブラケット１０の下面側に設けた軸支部材１２に、上記支持軸１３の上端に形成した角形部１３ａが押入される角孔１２ａを設けておき、上記巻取軸７の支持軸１３を、上記ブラケット１０の角孔１２ａに着脱可能ではあるが回転不能に保持させ得るように構成している。
【００１８】
また、上記軸支持キャップ１５と前記上キャップ１１の間には、図６の（ａ）（ｂ）に詳細に示しているように、上記支持軸１３に対する側方からの嵌着により弾性的に係着可能にしたスペーサ１７を着脱自在に介在させるように構成している。該スペーサ１７は、弾性を有する合成樹脂により成形するのが望ましく、該支持軸１３を挟持するための一対の対向する挟持部片１７ａを備えていて、それらの一端部を上記支持軸１３に対して挟持力を付与する弾性連結部１７ｂにおいて連結し、且つ、上記一対の挟持部片１７ａに、それらを支持軸１３の挟持のために開閉する指掛け用の操作部１７ｃを付設している。
【００１９】
更に、図２及び図８等に示しているように、巻取軸７の上部からその上キャップ１１を貫通して巻取軸７の内方まで導入された支持軸１３の、該上キャップ１１から巻取軸内に若干嵌入した部位に、スクリーン６を巻き取るための駆動源であるコイルスプリング８の上端を、ネジ１８等の固定金具で固定している。この固定金具は、支持軸１３が上キャップ１１の中心孔１１ａを通して上方に突出する限度を設定する機能をも有している。上記コイルスプリング８は、その下端を、上記支持軸１３に対して回転及び摺動自在であるスプリング受け１９の螺旋溝１９ａに対して螺挿することにより固定的に連結しているものである。また、該スプリング受け１９は、巻取軸７の筒軸本体７ａの内面に対しては回転しないが上下摺動可能に保持させている。
【００２０】
そのため、スクリーン６の張設操作時には該コイルスプリング８に回転付勢力が蓄積され、それに伴って、コイルスプリング８は縮径して、その巻き長さが延ばされる。一方、スクリーン６の巻取り時には、その回転付勢力が張設したスクリーン６の自動的な巻取りに供され、それに伴って、コイルスプリング８はその巻き径が大きくなると共に、巻き長さを短くすることが可能になる。なお、このようなコイルスプリング８の挙動がトラブルの原因（コイルスプリングの蛇行等の異状）になるのを避けるなどの目的で、以下に述べるように、巻取軸７内のコイルスプリング８のスプリング受け１９に上動の付勢力を作用させるスプリング２４を設けている。
【００２１】
上記スプリング２４について簡単に説明すると、巻取軸の筒軸本体７ａ内の下部には、例えば、該巻取軸７の減速用オイルダンパー等の部材が配設されたりするが、支持軸１３の下端をそれらの部材に摺動自在に保持させて、それにスプリング２４の受け板２３を固定し、該受け板２３と上記コイルスプリング８の下端部に取り付けた筒軸本体７ａ内において摺動自在のスプリング受け１９との間に、該スプリング受け１９を上動させる方向に付勢する上記スプリング２４を配設している。
【００２２】
該スプリング２４は、スクリーン６の展張操作によりコイルスプリング８が捩じられて縮径すると同時に、その巻き長さを延ばしたときに、その伸長の力によりスプリング受け１９を介して圧縮されて、該スプリング２４に圧縮力が蓄えられ、一方、上記スクリーン６の展張操作でコイルスプリング８に蓄えられた回転付勢力により、スクリーン６を巻取り動作させると、コイルスプリング８が拡径して長さ方向に短縮可能な状態になるが、このときには、上記スクリーン６の展張操作時にスプリング２４に蓄えた圧縮力によって、スプリング受け１９に上動の付勢力が作用するので、コイルスプリング８を円滑に短縮させることができる。
【００２３】
従って、上述のスペーサ１７を軸支持キャップ１５と巻取軸７の上キャップ１１との間において支持軸１３に対して係着させた状態で、スクリーン６を展張させると、コイルスプリング８が捩じられて縮径すると同時にその巻き長さが延び、それによって、スプリング２４も圧縮状態になるため、巻取軸７の支持軸１３の上端の角形部１３ａが上部の軸支部材１２に設けている角孔１２ａに安定的に押入され、また巻取軸７の下キャップ２１の下面に設けた嵌合孔２１ａも、下部のブラケット２０の上面の短円柱状の軸支部材２２に対して安定的に外嵌させた状態にすることができ、巻取軸７の支持が安定化することになる。
【００２４】
一方、上記スクリーン６の展張時にコイルスプリング８に蓄積された回転付勢力によって巻取軸７にスクリーン６を巻取ろうとすると、コイルスプリング８が拡径しようとするが、スクリーン６の巻取りを開始する段階においては、巻取軸７が急速に回転を開始するため、スプリング受け１９が筒軸本体７ａに沿って円滑に移動するとは限らず、それが前記トラブルの原因になる可能性があるが、上記スクリーンの展張時に圧縮されたスプリング２４の付勢力がスプリング受け１９を上動させて、コイルスプリング８を長さ方向に短縮させるため、スクリーン６は円滑に巻き取られる。
【００２５】
前述したように、上記ロールスクリーン装置は、建物開口部等への施工後の各種メンテナンスにおいて、巻取軸７を巻取りボックス２から容易に取り出し可能にしておくことが求められ、そのため、このスクリーン装置においては、上記巻取軸７の巻取りボックス２からの取り出しを容易にしているので、ここで、その取り出し手順について具体的に説明する。
【００２６】
上記ロールスクリーン装置における巻取軸７の取り外しに際しては、まず、巻取りボックス２の開閉扉２ａを開いて、上述のスペーサ１７を取り外すことになるが、その際に、該巻取りボックス２内においてスクリーン６が巻取軸７に巻き取られていない状態、つまり、スペーサがスクリーン６で覆われていない状態にあることが必要であり、そのため、スクリーンの展張状態で、まずスペーサ１７を取り外し、そのうえでゆっくりとスクリーン６を巻取軸７に巻取る作業を行えばよい。この状態では、コイルスプリング８に回転付勢力が蓄えられていないので、支持軸１３のスペーサ１７を取り外した部位にスクリーン６が巻き取られてはいるが、該支持軸１３の上端の角形部１３ａを容易に軸支部材１２の角孔１２ａから離脱することができると共に、該支持軸１３を巻取軸７内に押入することができ、そのため、巻取軸７の上下端を軸支部材１２，２２から取り外して、巻取りボックス２の開かれた開閉扉２ａから容易に巻取軸７を取り出すことができる。
【００２７】
上記スペーサ１７は、図６の（ａ）（ｂ）に詳細に示しているような態様で、巻取軸７の上キャップ１１と軸支持キャップ１５との間において支持軸１３に弾性的に保持させているため、一対の挟持部片１７ａに付設された指掛け用の操作部１７ｃを操作し、一対の挟持部片１７ａ間を開いて支持軸１３から取り外すことができる。この状態では、図２の位置にある軸支持キャップ１５を容易に下方に押圧でき、図７に示すように、該軸支持キャップ１５の下面を巻取軸７の上キャップ１１の上面に押し付けることができる。
【００２８】
図７の状態では、巻取軸７及び支持軸１３を、同図における軸支持キャップ１５の上方に生じた空隙分だけ上方に持ち上げることが可能であり、そのため、図１に示す巻取りボックス２の開閉扉２ａを開いた状態で、巻取軸７の下キャップ２１の下面に設けた嵌合孔２１ａを、下部のブラケット２０の上面に設けた軸支部材２２から抜き出すことにより、巻取軸７及び支持軸１３を該巻取りボックス２から取り出すことができ、巻取りボックス２自体をスクリーン装置から取り外したりすることなく、必要なメンテナンスを行うことができる。
【００２９】
なお、巻取軸７の取り出しに当たり、可動框９も同時に取り出すようにする場合には、巻取りボックス２内にそれを通して可動框９を取り出し可能にする移動路を形成しておけばよく、また、巻取軸７と共にスクリーン６のみの取り出しを行えばよい場合には、スクリーン枠１内に可動框９がある状態で、図３に示すように、スクリーン６における可動框９への取付端に沿って付設している係合子６ｃを、可動框９内の係合溝から離脱させるようにした既知の構成をもたせておけばよい。
【００３０】
上記横引きロールスクリーン装置においては、上記巻取軸７を取り外し可能にするに当たって、上記巻取りボックス２の上下端のブラケット１０，２０に、巻取軸７を回転自在且つ着脱可能に保持させているが、その構成は、以下に詳述するように、横引きロールスクリーン装置をバリアフリー化するためにも極めて適したものとしている。
【００３１】
即ち、上記横引きロールスクリーン装置においては、図３〜図５から分かるように、スクリーン６の上下端に沿って取り付けている係合子６ａ，６ｂをスクリーン枠１の上下においてガイドさせる必要があり、図示の実施例では、スクリーン６の上縁に取り付けた係合子６ａをスクリーン枠１の上枠４内に収容したインナーレール２８の凹溝の下部のスリット２８ａに係合させてガイドするものとし、一方、スクリーン６の下縁に取り付けた係合子６ｂは、スクリーン枠１の下レール５に形成した中空ガイド部３０上のスリット３０ａに係合させてガイドするように構成している。
【００３２】
上記横引きロールスクリーン装置のバリアフリー化のためには、上記下レール５におけるスクリーン６の下端の係合子６ｂをガイドする上記中空ガイド部３０が、可及的に床面に近い低位置に設けられるべきであり、それに伴って、巻取りボックス２内において巻取軸７の下端部に巻かれているスクリーン６の下端の係合子６ｂも、スクリーン６の張設に伴って中空ガイド部３０に導入する必要がある。そのため、上記巻取軸７の下端の支持構造を、該巻取軸７に巻き取っているスクリーン６の下端の係合子６ｂを下レール５の中空ガイド部３０に対向させるように、巻取軸７の下端を可及的に床面に近づけるべく、該巻取軸７の下端の下キャップ２１を下部のブラケット２０上において直接的に回転自在に、しかも、巻取軸７の離脱が容易になるように、該下キャップ２１を、上記下部のブラケット２０上に設けた短円柱状の軸支部材２２に対して上方に抜脱可能に嵌合させている。
【００３３】
また、上述した下レール５を用いていることから、該下レール５による可動框９のガイドは、上面にスリット３０ａを備えた中空ガイド部３０の両側に、上記可動框９の下端部が該中空ガイド部３０を跨いで走行する走行面３０ｂを形成して、該可動框９の下端の跨乗脚部の少なくとも一方に転輪３１を設け、それを一方の走行面３０ｂ上において転動させるように構成し、上記スクリーン６の下端の係合子６ｂを該中空ガイド部３０のスリット３０ａに係合させて、該スクリーン６の下端をガイドするように構成している。しかしながら、上記可動框９の下端の一対の跨乗脚部にそれぞれ転輪３１を設け、それらを中空ガイド部３０の両側の走行面３０ｂ上において転動させるように構成することもできる。
【符号の説明】
【００３４】
１      スクリーン枠
２      巻取りボックス
４      上枠
５      下レール
６      スクリーン
６ａ，６ｂ    係合子
７      巻取軸
８      コイルスプリング
９      可動框
１０      ブラケット
１７      スペーサ
２０      ブラケット
２８      インナーレール
３０      中空ガイド部
３０ｂ    走行面
【図１】
2019065647.tif 000003
【図２】
2019065647.tif 000004
【図３】
2019065647.tif 000005
【図４】
2019065647.tif 000006
【図５】
2019065647.tif 000007
【図６】
2019065647.tif 000008
【図７】
2019065647.tif 000009
【図８】
2019065647.tif 000010